(57)【要約】      （修正有）【課題】大掛かりな装置なしで容易に撒き餌を攪拌、混合することを可能とする撒き餌の攪拌用部品セットおよび撒き餌の攪拌装置を提供する。【解決手段】撒き餌の攪拌用部品セット１０は、撒き餌を投入するための開口部を有し撒き餌を保持するタライ４０の、開口部を閉塞して固定するための閉塞リング２と、閉塞リングによって開口部が閉塞されたタライを周方向に回転自在に支持するためのローラー３２付き支持台３と、を備えている。【選択図】図１
0003190873.tif 000002
【実用新案登録請求の範囲】
【請求項１】
撒き餌を投入するための開口部を有し前記撒き餌を保持する保持部品の、前記開口部を閉塞して固定するための閉塞部品と、
前記閉塞部品によって前記開口部が閉塞された前記保持部品を周方向に回転自在に支持するための回転支持部品と、を備えた、撒き餌の攪拌用部品セット。
【請求項２】
前記閉塞部品は、前記開口部を全域にわたって閉塞する、請求項１に記載の撒き餌の攪拌用部品セット。
【請求項３】
前記開口部が閉塞された状態で前記保持部品の内部を横切るように配置されるべき攪拌補助部品をさらに備えた、請求項１または２に記載の撒き餌の攪拌用部品セット。
【請求項４】
前記保持部品の外壁面に取り付けられることにより、前記開口部が閉塞された前記保持部品を周方向に回転させる際の取っ手として使用可能な回転補助部品をさらに備えた、請求項１〜３のいずれか１項に記載の撒き餌の攪拌用部品セット。
【請求項５】
撒き餌を投入するための開口部を有し前記撒き餌を保持する保持部品と、
前記保持部品の前記開口部を閉塞する閉塞部品と、
前記閉塞部品によって前記開口部が閉塞された前記保持部品を周方向に回転自在に支持する回転支持部品と、を備えた、撒き餌の攪拌装置。
【考案の詳細な説明】
【技術分野】
【０００１】
本考案は、撒き餌の攪拌用部品セットおよび撒き餌の攪拌装置に関し、より特定的には大掛かりな装置なしで容易に撒き餌を攪拌、混合することを可能とする撒き餌の攪拌用部品セットおよび撒き餌の攪拌装置に関するものである。
【背景技術】
【０００２】
魚釣りにおいては、一定の場所に魚を集めて魚を釣ることを容易にする目的で、撒き餌が使用される。撒き餌は、たとえば粉末状の集魚材に水を加え、攪拌することにより作製される。集魚材としては、米ぬか、砂、サナギ、ムギなどが予め所定の比率で混合されたものが市販されているが、これらを別々に入手し、好みの比率で混合して作製する釣り人も多い。また、集魚効果を高める目的で、オキアミ、アミエビなどが集魚材に混合される場合もある。また、集魚効果だけでなく、釣り針に刺された餌（付け餌）を目的外の魚（餌取り）から保護し、付け餌を海底まで運ぶ目的で、集魚材のダンゴによって付け餌を包み、海中に投入する場合もある。特に、カセや筏におけるチヌ（クロダイ）釣りの場合、上記ダンゴを作製するために大量の集魚材が必要となる。
【０００３】
大量の集魚材に水を加えて手動で攪拌するためには、大きな労力が必要となる。また、冬季の釣行の場合、低い外気温の下で水を加えた集魚材を素手で攪拌することは容易な作業ではない。これに対し、モーターの駆動力を用いて集魚材を攪拌する攪拌装置が提案されている（たとえば、特許文献１参照）。
【先行技術文献】
【特許文献】
【０００４】
【特許文献１】特開２００１−４５９４０号公報
【考案の概要】
【考案が解決しようとする課題】
【０００５】
しかしながら、上記攪拌装置は、モーターによる駆動が必要であって大掛かりな装置となる。そのため、装置設置のためのスペースが必要なばかりでなく、電源も必要となる。したがって、上記攪拌装置は釣具店、渡船店などに設置して使用するような使用態様が適しており、釣り人が個人で所有し、釣行時に携行するような使用態様には適しているとはいえない。
【０００６】
そこで、本考案は、大掛かりな装置なしで容易に撒き餌を攪拌、混合することを可能とする撒き餌の攪拌用部品セットおよび撒き餌の攪拌装置を提供することを目的とする。
【課題を解決するための手段】
【０００７】
本考案に従った撒き餌の攪拌用部品セットは、撒き餌を投入するための開口部を有し当該撒き餌を保持する保持部品の、当該開口部を閉塞して固定するための閉塞部品と、この閉塞部品によって上記開口部が閉塞された上記保持部品を周方向に回転自在に支持するための回転支持部品と、を備えている。
【０００８】
チヌ釣りなどを行うカセや筏には、渡船店によってタライなど、撒き餌を保持するための保持部品が設置されている場合が多い。また、タライなどの保持部品は、渡船店によって貸し出される場合もある。そして、通常、釣り人はこのタライなどの保持部品内に集魚材を投入し、水を加えたうえで、素手またはヘラなどを用いて攪拌することにより撒き餌を準備する。これに対し、本考案の撒き餌の攪拌用部品セットを釣り人が携行している場合、保持部品内に集魚材および水を投入した後、閉塞部品を用いて開口部を閉塞して固定する。具体的には、たとえば一のタライ内に集魚材および水を投入した後、当該一のタライの開口部と他のタライの開口部とを合わせたうえで、閉塞部品を用いて開口部を閉塞して固定する。
【０００９】
その後、閉塞部品によって開口部が閉塞された保持部品を回転支持部品により支持された状態とし、回転させる。具体的には、たとえば閉塞部品によって開口部が閉塞されたタライを、ローラーなどを備えた回転支持部品によって支持しつつ回転させる。これにより、保持部品（たとえばタライ）内の集魚材は攪拌され、撒き餌が準備される。このとき、大量の集魚材に水を加えて手動で攪拌する場合であっても、釣り人は回転支持部品によって支持された保持部品を回転させるだけで攪拌することができる。そのため、大量の集魚材を攪拌する場合であっても、その労力が大幅に軽減される。また、釣り人は、低い外気温の下で水が加えられた集魚材を直接素手で攪拌する必要が無い。さらに、本考案の撒き餌の攪拌用部品セットを用いた場合、モーターや電源等が必須ではないため、大掛かりな装置なしで撒き餌を攪拌することができる。
【００１０】
このように、本考案の撒き餌の攪拌用部品セットによれば、大掛かりな装置なしで容易に撒き餌を攪拌、混合することを可能とする撒き餌の攪拌用部品セットを提供することができる。
【００１１】
上記撒き餌の攪拌用部品セットにおいては、閉塞部品は、上記開口部を全域にわたって閉塞するものであってもよい。上述のように、集魚材は粉末状であり、当該集魚材に水が投入される。そのため、開口部を全域にわたって閉塞することにより、開口部からの集魚材や水の漏れを有効に抑制することができる。
【００１２】
上記撒き餌の攪拌用部品セットは、上記開口が閉塞された状態で保持部品の内部を横切るように配置されるべき攪拌補助部品をさらに備えていてもよい。これにより、保持部品を回転支持部品によって保持しつつ回転させた場合の、撒き餌の攪拌が促進される。
【００１３】
上記撒き餌の攪拌用部品セットは、上記保持部品の外壁面に取り付けられることにより、上記開口部が閉塞された上記保持部品を周方向に回転させる際の取っ手として使用可能な回転補助部品をさらに備えていてもよい。これにより、保持部品をより容易に回転させることが可能となる。
【００１４】
本考案に従った撒き餌の攪拌装置は、撒き餌を投入するための開口部を有し撒き餌を保持する保持部品と、当該保持部品の開口部を閉塞する閉塞部品と、閉塞部品によって開口部が閉塞された上記保持部品を周方向に回転自在に支持する回転支持部品と、を備えている。
【００１５】
上述のように、タライなどの保持部品は、渡船店によって準備されている場合が多い。そのため、保持部品が準備されていることが事前に分かっている場合、比較的大きな部品である保持部品を含まない撒き餌の攪拌用部品セットを携行することが、釣り人にとって便利である。しかし、タライなどの保持部品が準備されているかどうかが不明な場合、あるいは準備されていない場合、保持部品を含む上記撒き餌の攪拌装置を携行して現地で組み立てることが有効である。
【考案の効果】
【００１６】
以上の説明から明らかなように、本考案の撒き餌の攪拌用部品セットおよび撒き餌の攪拌装置によれば、大掛かりな装置なしで容易に撒き餌を攪拌、混合することを可能とする撒き餌の攪拌用部品セットおよび撒き餌の攪拌装置を提供することができる。
【図面の簡単な説明】
【００１７】
【図１】撒き餌の攪拌用部品セットを含む撒き餌の攪拌装置の構造を示す概略斜視図である。
【図２】攪拌用タライの構造を示す概略斜視図である。
【図３】閉塞リングの構造を示す概略斜視図である。
【図４】ローラー付き支持台の構造を示す概略斜視図である。
【図５】攪拌補助板の構造を示す概略平面図である。
【図６】攪拌補助板の取付状態を示す概略断面図である。
【図７】補助ハンドルの構造を示す概略図である。
【図８】補助ハンドルの取付状態を示す概略斜視図である。
【考案を実施するための形態】
【００１８】
以下、図面に基づいて本考案の一実施の形態を説明する。なお、以下の図面において同一または相当する部分には同一の参照番号を付しその説明は繰返さない。
【００１９】
図１を参照して、本実施の形態における撒き餌の攪拌装置１は、撒き餌の攪拌用部品セット１０と、一対の保持部品としてのタライ４０とを備えている。図２を参照して、タライ４０は、撒き餌を投入するための開口部４２を有している。また、タライ４０は、開口部４２を規定する円環状の開口周縁部４２Ａと、開口周縁部４２Ａから、開口周縁部４２Ａを含む平面に交差する方向に接続して形成され、円錐面または円柱面形状を有する側壁部４１と、側壁部４１から、側壁部４１を含む円錐面または円柱面に対応する底面を構成するように接続して形成され、円盤状の形状を有する底面４３とを備えている。底面４３には、タライ４０の脚として、底面４３から突出する円環状の形状を有する突出部４４が形成されている。図１においては、一対のタライ４０の開口周縁部４２Ａが合わせて配置されている。
【００２０】
図１を参照して、撒き餌の攪拌用部品セット１０は、閉塞部品としての閉塞リング２と、回転支持部品としてのローラー付き支持台３とを備えている。図３を参照して、閉塞リング２は、円環状の形状を有し、タライ４０の開口周縁部４２Ａの外周面に対応する本体部２１と、本体部２１の締め付け状態（内径が小さい状態）と解放状態（内径が大きい状態）とを切り替える締め付け部２２とを備えている。図３においては、本体部２１は締め付け部２２によって解放状態とされている。図１においては、閉塞リング２は、開口周縁部４２Ａ同士が合わさるように配置された一対のタライ４０の開口周縁部４２Ａの外周面に、本体部２１の内周面が接触するように配置されている。そして、本体部２１が締め付け部２２によって締め付け状態とされることにより、開口部４２が閉塞されて一対のタライ４０が互いに固定されている。
【００２１】
図４を参照して、ローラー付き支持台３は、板状の形状を有する本体部３１と、本体部３１に回転自在に設置されたローラー３２とを備えている。ローラー３２は、ローラー３２の回転方向に沿う列内に複数個（図４では２個）配置されており、さらに複数列（図４では２列）配置されている。図１においては、一対のタライ４０の側壁４１とローラー３２とが接触するように閉塞リング２によって開口部４２が閉塞された一対のタライ４０がローラー付き支持台３上に載置されることにより、一対のタライ４０が周方向に回転自在に支持されている。
【００２２】
次に、本実施の形態における撒き餌の攪拌用部品セット１０を含む撒き餌の攪拌装置１を用いた撒き餌の準備方法について説明する。図２を参照して、まず、一のタライ４０を準備し、開口部４２から粉末の集魚材を投入する。集魚剤は、米ぬか、砂、ムギなどが所定の比率で混合された市販の配合餌であってもよいし、これらを釣り人の好みの割合で投入してもよい。また、このときオキアミ、アミエビを投入してもよい。オキアミ、アミエビなどが冷凍されたものである場合、予めスライスしておくことにより後の攪拌が容易となる。さらに、適量の水（海水）を当該一のタライ４０内に投入する。
【００２３】
次に、他のタライ４０を準備し、集魚材および水が投入された上記一のタライ４０の開口周縁部４２Ａと、当該他のタライ４０の開口周縁部４２Ａとが周方向全体にわたって対向するように接触して配置される。これにより、一のタライ４０上に他のタライ４０が蓋として載置された状態となる。そして、図３を参照して、解放状態とされた閉塞リング２の本体部２１の内周面が上記一対のタライ４０の互いに接触する開口周縁部４２Ａに対応する位置にセットされ、その後本体部２１が締め付け部２２によって締め付け状態とされる。これにより、上記一対のタライ４０の開口部４２は、全域（全周）にわたって閉塞された状態となる。また、一対のタライ４０は、閉塞リング２により一体化された状態となる。さらに、図１を参照して、一体化した一対のタライ４０の側壁４１とローラー３２とが接触するように、一対のタライ４０がローラー付き支持台３上に載置される。
【００２４】
そして、一対のタライ４０を、ローラー付き支持台３により支持しつつ周方向に回転させる。これにより、タライ４０の内部に保持された集魚材と水とが攪拌される。十分に攪拌が進行した後、一対のタライ４０がローラー付き支持台３上から取り外され、一方のタライ４０の突出部４４が鉛直方向下側となる状態で閉塞リング２が取り外される。以上の手順により、撒き餌の準備が完了する。
【００２５】
本実施の形態における撒き餌の攪拌用部品セット１０を含む撒き餌の攪拌装置１を用いた撒き餌の準備方法によれば、大量の集魚材に水を加えて手動で攪拌する場合であっても、釣り人はローラー付き支持台３によって支持された一対のタライ４０を回転させるだけで攪拌することができる。そのため、大量の集魚材を攪拌する場合であっても、その労力が大幅に軽減される。また、釣り人は、低い外気温の下で水が加えられた集魚材を直接素手で攪拌する必要が無い。さらに、本考案の撒き餌の攪拌用部品セット１０を含む撒き餌の攪拌装置１を用いた場合、モーターや電源等が必須ではないため、大掛かりな装置なしで撒き餌を攪拌することができる。
【００２６】
ここで、タライ４０などの保持部品は、渡船店によって準備されている場合が多い。そのため、タライ４０などが準備されていることが事前に分かっている場合、タライ４０などを含まない撒き餌の攪拌用部品セット１０を携行することが、釣り人にとって便利である。一方、タライ４０などの保持部品が準備されているかどうかが不明な場合、あるいは準備されていない場合、タライ４０などの保持部品を含む撒き餌の攪拌装置１を携行して現地で組み立てることが有効である。この場合、保持部品内には、上記撒き餌の攪拌用部品セット１０を格納可能としておくことが好ましい。これにより、釣行時の荷物の増加を最小限に抑えることができる。
【００２７】
さらに、図５および図６を参照して、撒き餌の攪拌用部品セット１０は、開口部４２が閉塞された状態でタライ４０の内部を横切るように配置されるべき攪拌補助部品としての攪拌補助板５を含んでいてもよい。図５を参照して、攪拌補助板５は、本体部５１と、延長板５３とを備えている。本体部５１は、平板棒状の形状を有している。また、本体部５１の長手方向両端部には、端部に開口する中空部５２が形成されている。そして、中空部５２に対応する位置には本体部５１の側壁を貫通する貫通孔５４が形成されている。延長板５３は、平板棒状の形状を有しており、本体部５１の中空部５２にその一部がスライド可能な状態で挿入されている。延長板５３の側面には、バネなどの弾性部品により当該側面から突出する側に付勢された突出部５３Ａが配置されている。突出部５３Ａは、本体部５１の中空部５２内を延長板５３がスライドすることにより、貫通孔５４に対応する位置に移動するように配置されている。
【００２８】
そして、攪拌補助板５は、携行時には延長板５３が中空部５２の最も奥まで挿入されることにより、コンパクトな状態とされる。一方、使用時には、延長板５３をスライドさせて攪拌補助板５の全長を伸ばし、突出部５３Ａを貫通孔５４に対応する位置にまで移動させる。これにより、バネなどの弾性部品により付勢された突出部５３Ａが貫通孔５４内に進入し、攪拌補助板５の全長が長い状態で本体部５１に対する延長板５３の位置が固定される。その後、図６を参照して、攪拌補助板５は、一対のタライ４０により形成される閉鎖空間内を横切るように配置される。このように攪拌補助板５を用いることにより、撒き餌の攪拌時に集魚材が攪拌補助板５に接触して攪拌が促進される。
【００２９】
また、図７および図８を参照して、撒き餌の攪拌用部品セット１０は、タライ４０の外壁面に取り付け可能な回転補助部品としての補助ハンドル６を含んでいてもよい。補助ハンドル６は、把持部６１と、把持部６１に対して軸方向に回転自在に取り付けられたシャフト部６２と、シャフト部６２の把持部６１とは反対側の端部に配置された接続部６３と、接続部６３に取り付けられた固定部としての固定ねじ６４とを備えている。接続部６３および固定ねじ６４は、補助ハンドル６をタライ４０の外壁面に対して着脱するための着脱機構を構成している。具体的には、接続部６３は、一対の突出部６３Ａを含む二股形状を有している。固定ねじ６４は、一方の突出部６３Ａを当該突出部６３Ａの突出方向に交差する方向に貫通するように配置されている。そして、図７および図８を参照して、一対の突出部６３Ａの間にタライ４０の底面４３から突出する突出部４４が進入するように補助ハンドル６が配置された後、固定ねじ６４を締めることにより補助ハンドル６がタライ４０に対して固定される。この補助ハンドル６は、内部に集魚材および水を保持する一対のタライ４０を周方向に回転させる際の取っ手として使用することができる。
【００３０】
なお、上記実施の形態においては、本考案の保持部品としてタライを例示したが、保持部品としては、バケツ、洗面器などのタライ状部品のほか、たとえば樽状部品などを採用することもできる。また、上記実施の形態においては、閉塞部品として開口部を全域にわたって閉塞する閉塞リングを例示したが、閉塞部品はこれに限られず、開口部の一部を閉塞する閉塞部品（たとえばクランプ機構を含み、一対のタライ４０の開口周縁部４２Ａ同士を互いに押し付け合うように締め付けて固定するもの）を周方向に沿って１個または複数個配置するものであってもよい。また、上記実施の形態においては、回転支持部品として複数のローラーを備えたものを例示したが、回転支持部品はこれに限られず、たとえば保持部品の外周面と滑らかに滑り接触する滑り面を備えたものであってもよい。また、本実施の形態においては、攪拌補助部品として平板状の形状を有する攪拌補助板を例示したが、攪拌補助部品はこれに限られず、丸棒状の形状を有するものであってもよい。
【００３１】
今回開示された実施の形態はすべての点で例示であって、どのような面からも制限的なものではないと理解されるべきである。本考案の範囲は上記した説明ではなく、実用新案登録請求の範囲によって規定され、実用新案登録請求の範囲と均等の範囲、および意味内でのすべての変更が含まれることが意図される。
【産業上の利用可能性】
【００３２】
本考案の撒き餌の攪拌用部品セットおよび撒き餌の攪拌装置は、集魚材と水とを混合するための撒き餌の攪拌用部品セットおよび撒き餌の攪拌装置に、特に有利に適用され得る。
【符号の説明】
【００３３】
１  撒き餌の攪拌装置、２  閉塞リング、３  ローラー付き支持台、５  攪拌補助板、６  補助ハンドル、１０  撒き餌の攪拌用部品セット、２１  本体部、２２  締め付け部、３１  本体部、３２  ローラー、４０  タライ、４１  側壁部、４２  開口部、４２Ａ  開口周縁部、４３  底面、４４  突出部、５１  本体部、５２  中空部、５３  延長板、５３Ａ  突出部、５４  貫通孔、６１  把持部、６２  シャフト部、６３  接続部、６３Ａ  突出部、６４  固定ねじ。
【図１】
0003190873.tif 000003
【図２】
0003190873.tif 000004
【図３】
0003190873.tif 000005
【図４】
0003190873.tif 000006
【図５】
0003190873.tif 000007
【図６】
0003190873.tif 000008
【図７】
0003190873.tif 000009
【図８】
0003190873.tif 000010
【手続補正書】
【提出日】平成26年3月20日(2014.3.20)
【手続補正１】
【補正対象書類名】実用新案登録請求の範囲
【補正対象項目名】全文
【補正方法】変更
【補正の内容】
【実用新案登録請求の範囲】
【請求項１】
撒き餌を投入するための開口部を有し前記撒き餌を保持し、かつタライ状または樽状の形状を有する保持部品の、前記開口部の周縁部に対応する形状の本体部を有し、前記開口部を閉塞して固定するための閉塞部品と、
前記閉塞部品によって前記開口部が閉塞された前記保持部品の側壁を、前記保持部品の側壁の周方向に回転自在に支持するための回転支持部品と、を備えた、撒き餌の攪拌用部品セット。
【請求項２】
前記閉塞部品は、前記開口部を全域にわたって閉塞する、請求項１に記載の撒き餌の攪拌用部品セット。
【請求項３】
板状または棒状の形状を有し、前記開口部が閉塞された状態で前記保持部品の内部を横切るように配置されるべき攪拌補助部品をさらに備えた、請求項１または２に記載の撒き餌の攪拌用部品セット。
【請求項４】
前記保持部品の外壁面に取り付けられることにより、前記開口部が閉塞された前記保持部品を周方向に回転させる際の取っ手として使用可能な回転補助部品をさらに備えた、請求項１〜３のいずれか１項に記載の撒き餌の攪拌用部品セット。
【請求項５】
撒き餌を投入するための開口部を有し前記撒き餌を保持し、かつタライ状または樽状の形状を有する保持部品と、
前記開口部の周縁部に対応する形状の本体部を有し、前記保持部品の前記開口部を閉塞する閉塞部品と、
前記閉塞部品によって前記開口部が閉塞された前記保持部品の側壁を、前記保持部品の側壁の周方向に回転自在に支持する回転支持部品と、を備えた、撒き餌の攪拌装置。